(57)【要約】【課題】各ブロワ自体のバラツキや特性の経時変化などにかかわらず、エアの吹き付けや吸引の力を適切な状態に保ち、安定した給紙を行うことができる給紙装置を提供する。【解決手段】浮上用送風手段１によりエアを用いて用紙の浮上、分離、吸着を行う給紙装置である。給紙する用紙の特性に対して適切なエアの風量を設定して重送、不給紙の要因を取り除く。用紙の特性とは、用紙の重さの軽重、用紙サイズの大小、コート紙か否等である。そのため、サバキ用送風手段２４についても、給紙する用紙に適切な風量になるようエア吹き付け量調整を可能とする。そのためサイドフェンス２３に設けられたサバキ用送風手段２４のダクト近傍に、サバキ用のエアの吹き出し量の変化に伴い可動する揺動式のアクチュエータ２５を設ける。【選択図】図８
2011184179.tif 000002
【特許請求の範囲】
【請求項１】
トレイ上に積載した複数枚の用紙にエアを吹き付け、最上位の用紙を浮上させる浮上用送風手段と、
該送風手段によって浮上した用紙を負圧により吸着する用紙吸着部と、
エア吸引によって前記用紙吸着部に負圧を与えるエア吸引手段と、
前記用紙吸着部に吸着した用紙にエアを吹き付けて用紙をさばくサバキ用送風手段と、
吸着した用紙を搬送する用紙搬送手段と、
を有する給紙装置において、
前記サバキ用送風手段が、エア吹き付け量を調整可能であることを特徴とする給紙装置。
【請求項２】
請求項１に給紙装置において、
前記サバキ用送風手段が備えるダクト近傍に、
サバキ用のエアの吹き出し量の変化に伴い可動する揺動式のアクチュエータと、
該アクチュエータの位置を検出できる揺動位置検出センサと、
を設け、
該アクチュエータが揺動した位置を検出可能としたことを特徴とする給紙装置。
【請求項３】
請求項２に記載の給紙装置において、
前記サバキ用送風手段のエア吹き付け量を、前記揺動位置検出センサが反応するまで自動的に出力を増やさせる制御装置を備えた、
ことを特徴とする給紙装置。
【請求項４】
請求項３に記載の給紙装置において、
前記制御装置のエア吹き付け量調整動作は、給紙中以外の決められたタイミングで行うことを特徴とする給紙装置。
【請求項５】
請求項３に記載の給紙装置において、
前記制御装置が、前記エア吹き付け量調整動作のタイミングを任意に変更可能なものであることを特徴とする給紙装置。
【請求項６】
請求項３から５のいずれかに記載の給紙装置において、
前記制御装置でエア吹き付け量調整動作を行っても前記揺動位置検出センサが反応しなかった場合、該給紙装置を搭載した画像形成装置のユーザインターフェース部に、前記サバキ用送風手段が故障した旨を通知することを特徴とする給紙装置。
【請求項７】
請求項１から６のいずれかに記載の給紙装置において、
前記浮上用送風手段が、エア吹き付け量を調整可能なものであることを特徴とする給紙装置。
【請求項８】
請求項７に記載の給紙装置において、
前記浮上用送風手段が備えるダクト内に揺動式のアクチュエータを設け、
該アクチュエータの位置を検出できる揺動位置検出センサを設け、
前記アクチュエータが揺動した位置を検出可能としたことを特徴とする給紙装置。
【請求項９】
請求項８に記載の給紙装置において、
前記浮上用送風手段のエア吹き付け量を、前記揺動位置検出センサが反応するまで自動的に出力を増加させる制御装置を備えたことを特徴とする給紙装置。
【請求項１０】
請求項９に記載の給紙装置において、
前記制御装置のエア吹き付け量調整動作は、給紙中以外の決められたタイミングで行うことを特徴とする給紙装置。
【請求項１１】
請求項９に記載の給紙装置において、
前記制御装置が、前記エア吹き付け量調整動作のタイミングを任意に変更可能なものであることを特徴とする給紙装置。
【請求項１２】
請求項９から１１のいずれかに記載の給紙装置において、
前記制御装置でエア吹き付け量調整動作を行っても前記揺動位置検出センサが反応しなかった場合、該給紙装置を搭載した画像形成装置のユーザインターフェース部に、前記浮上用送風手段が故障した旨を通知することを特徴とする給紙装置。
【請求項１３】
請求項１から１２のいずれかに記載の給紙装置において、
前記エア吸引手段のエア吸引量を調整可能としたことを特徴とする給紙装置。
【請求項１４】
請求項１３に記載の給紙装置において、
前記エア吸引手段が備えるダクト内に揺動式のアクチュエータを設け、
該アクチュエータの位置を検出できる揺動位置検出センサを設け、
該アクチュエータが揺動した位置を検出可能としたことを特徴とする給紙装置。
【請求項１５】
請求項１４に記載の給紙装置において、
前記エア吸引手段のエア吸引量を、前記揺動位置検出センサが反応するまで自動的に出力を増加させる制御装置を備えたことを特徴とする給紙装置。
【請求項１６】
請求項１５に記載の給紙装置において、
前記制御装置のエア吹き付け量調整動作は、給紙中以外の決められたタイミングで行うことを特徴とする給紙装置。
【請求項１７】
請求項１５に記載の給紙装置において、
前記制御装置が、前記エア吹き付け量調整動作のタイミングを任意に変更可能なものであることを特徴とする給紙装置。
【請求項１８】
請求項１５から１７のいずれかに記載の給紙装置において、
前記制御装置でエア吹き付け量調整動作を行っても前記揺動位置検出センサが反応しなかった場合、該給紙装置を搭載した画像形成装置のユーザインターフェース部に、前記エア吸引手段が故障した旨を通知することを特徴とする給紙装置。
【請求項１９】
請求項１から１８のいずれかに記載の給紙装置を備えたことを特徴とする画像形成装置。
【発明の詳細な説明】
【技術分野】
【０００１】
本発明は、複写機、プリンタ等の画像形成装置などに備えられた給紙装置に関し、特にトレイに複数枚積載されている最上面の用紙を吸引ベルトによって吸着して画像形成部に給紙する給紙装置に関する。
【背景技術】
【０００２】
画像形成装置あるいは画像形成部に用紙を一枚ずつ高速で給紙する給紙装置が知られる。その概略を図１に示す。
【０００３】
図１の給紙装置は、トレイに複数枚積載された用紙の前端面に向かって浮上用送風手段１からエアを吹き付け、この風によって吸引ベルト（用紙吸着部）２の高さまで浮上させる。そしてエア吸引手段３０の作動により用紙の最上面の一枚を吸引ベルト２によって吸着させる。吸引ベルト２に吸着した用紙は一枚だけになっているとは限らず、用紙間が密着した状態で吸着していることもある。そこでサイドフェンス（用紙側端規制部材）２３に設けられたサバキ用送風手段２４にてエアを吹き付け、吸引ベルト２に吸着した用紙を１枚にさばく。その後用紙は吸引ベルト２の搬送により画像形成部へと搬送され、その後画像形成が行われる。
【０００４】
送風手段１と用紙の間には用紙せき止め部材７が配置されており、最上紙以外の用紙が搬送されるのを防いでいる。また、通紙した用紙によって減少する用紙の最上面位置と吸引ベルト２の距離ｈを常時一定とさせるために、用紙の最上面に当接して用紙の高さを検知する検知手段３が設けられている。検知手段３は、アクチュエータ４とアクチュエータの揺動を検知するセンサ５とを有し、用紙の減少によってアクチュエータ４が揺動し、この移動量をフォトセンサなどが検知し、この信号に基づいて昇降手段などにより底板６を上昇させて調整している。
【０００５】
用紙はトレイ上で用紙のサイズに合わせるように、前端面を基準面として揃えている。アクチュエータ４の取り付け位置は、図１のようにブロワの送風の影響を受けにくい用紙後端近傍に設けられている。
【０００６】
吸引ベルト２の下流には搬送ローラ８が配置されており、到達した用紙搬送を行っている。この搬送ローラ８の搬送力は吸引ベルト２の搬送力より大きく設定される。また搬送ローラ８の下流には、用紙到達の検知を行う給紙センサ９が設けられている。
【０００７】
次に従来の給紙装置の給紙動作について、順を追って説明する。
（１）画像形成装置本体から給紙指令が来ると、図２に示すように浮上用送風手段１、サバキ用送風手段２４が動作し、用紙端へのエア吹き付けが始まる。また同時に吸引ベルト２のエア吸引が開始する。それにより最上紙Ｐ１が浮上し、図２のように吸引ベルトに最上紙Ｐ１が吸着される。
（２）吸引ベルト２、搬送ローラ８の駆動が開始し、用紙Ｐ１が搬送される（図３）。
（３）用紙Ｐ１が給紙センサ９に到達後、吸引ベルト２の駆動を停止する（図４）。搬送ローラ８は吸引ベルト２が停止した状態のまま、用紙Ｐ１の搬送を継続する。
（４）用紙Ｐ１が吸引領域を抜けた直後、次の用紙Ｐ２がエアにより浮上、吸着される（図５）。
（５）設定した給紙間隔に応じて、吸引ベルト２の駆動を再開し、用紙Ｐ２の給紙を行う。
（６）以降、上述の（２）〜（５）の繰り返しにより用紙が順次搬送される。
【０００８】
前記の給紙動作では浮上用送風手段１、サバキ用送風手段２４、エア吸引手段３０のエアの風量に関しては記載を行っていないが、エアの風量をある値で固定している場合、積載した用紙の厚さや重さやサイズによって用紙の浮上量やサバキ状態は異なることとなる。
【０００９】
例えば用紙の浮上量が少なければ不給紙に至ってしまうことになり、逆に用紙が浮上しすぎの状態であれば用紙が密着してしまうこととなり、重送に至ってしまう。またエア吸引手段３０の力が小さければ用紙をうまく搬送できず、これも不給紙となってしまう。
【００１０】
そのため、適正に給紙を行うため、積載した用紙に合わせた風量をあらかじめ決めておき、ユーザは給紙を行いたい用紙を選んだ場合は自動的にその風量になるようにしている。そして風量はブロワのデューティーの値によって調整している。例えば下記のようなテーブルに従って浮上用送風手段１、サバキ用送風手段２４、エア吸引手段３０の設定を行っている。
用紙
浮上用送風手段
サバキ用送風手段
エア吸引手段
Ａ
＋３０［％］
＋２０［％］
＋４０［％］
Ｂ
＋１０［％］
−１０［％］
＋３０［％］
Ｃ
−２０［％］
−４０［％］
＋２０［％］
【００１１】
前記ブロワのデューティ（Duty）は、0[%]ではブロワがまったく回転していない状態であり、100[%]でブロワのフルパワーとなる。ここで用紙は簡易的にA、B、Cと記載したが、これを紙厚やサイズで記載すると例えば以下のようになる。
紙厚  ：A＞B＞C
サイズ：A＞B＞C
【発明の概要】
【発明が解決しようとする課題】
【００１２】
しかしながら、各ブロワは用紙ごとに適切なエア吹き付け量とするための回転数の設定を行ったとしても、ブロワ自体のバラツキやブロワ特性の経時変化などにより、適切な回転数が安定して得られない場合がある。
【００１３】
この場合、例えば用紙が薄いもしくは小サイズの場合に、サバキ用送風手段のブロワ回転数が目標よりも速く回転してしまい、用紙のサバキ状態が安定せず、重送や不給紙などの不具合が発生することがある。また、用紙が厚いもしくは大サイズの場合に、サバキ用送風手段のブロワ回転数が目標よりも遅く回転してしまい、用紙間に適切なエアが流入されずに、用紙の重送などの不具合が発生することがある。
【００１４】
本発明は、前記問題点にかんがみてなしたものであり、各ブロワ自体のバラツキや特性の経時変化などにかかわらず、エアの吹き付けや吸引の力を適切な状態に保ち、安定した給紙を行うことができる給紙装置と、これを用いた画像形成装置を提供することを目的とする。
【課題を解決するための手段】
【００１５】
本発明の給紙装置のうち請求項１に係るものは、トレイ上に積載した複数枚の用紙にエアを吹き付け、最上位の用紙を浮上させる浮上用送風手段と、該送風手段によって浮上した用紙を負圧により吸着する用紙吸着部と、エア吸引によって前記用紙吸着部に負圧を与えるエア吸引手段と、前記用紙吸着部に吸着した用紙にエアを吹き付けて用紙をさばくサバキ用送風手段と、吸着した用紙を搬送する用紙搬送手段とを有する給紙装置において、前記サバキ用送風手段が、エア吹き付け量を調整可能であることを特徴とする。
【００１６】
同請求項２に係るものは、請求項１に給紙装置において、前記サバキ用送風手段が備えるダクト近傍に、サバキ用のエアの吹き出し量の変化に伴い可動する揺動式のアクチュエータと、該アクチュエータの位置を検出できる揺動位置検出センサとを設け、該アクチュエータが揺動した位置を検出可能としたことを特徴とする。
【００１７】
同請求項３に係るものは、請求項２に記載の給紙装置において、前記サバキ用送風手段のエア吹き付け量を、前記揺動位置検出センサが反応するまで自動的に出力を増やさせる制御装置を備えたことを特徴とする。
【００１８】
同請求項４に係るものは、請求項３に記載の給紙装置において、前記制御装置のエア吹き付け量調整動作は、給紙中以外の決められたタイミングで行うことを特徴とする。
【００１９】
同請求項５に係るものは、請求項３に記載の給紙装置において、前記制御装置が、前記エア吹き付け量調整動作のタイミングを任意に変更可能なものであることを特徴とする。
【００２０】
同請求項６に係るものは、請求項３から５のいずれかに記載の給紙装置において、前記制御装置でエア吹き付け量調整動作を行っても前記揺動位置検出センサが反応しなかった場合、該給紙装置を搭載した画像形成装置のユーザインターフェース部に、前記サバキ用送風手段が故障した旨を通知することを特徴とする。
【００２１】
同請求項７に係るものは、請求項１から６のいずれかに記載の給紙装置において、前記浮上用送風手段が、エア吹き付け量を調整可能なものであることを特徴とする。
【００２２】
同請求項８に係るものは、請求項７に記載の給紙装置において、前記浮上用送風手段が備えるダクト内に揺動式のアクチュエータを設け、該アクチュエータの位置を検出できる揺動位置検出センサを設け、前記アクチュエータが揺動した位置を検出可能としたことを特徴とする。
【００２３】
同請求項９に係るものは、請求項８に記載の給紙装置において、前記浮上用送風手段のエア吹き付け量を、前記揺動位置検出センサが反応するまで自動的に出力を増加させる制御装置を備えたことを特徴とする。
【００２４】
同請求項１０に係るものは、請求項９に記載の給紙装置において、前記制御装置のエア吹き付け量調整動作は、給紙中以外の決められたタイミングで行うことを特徴とする。
【００２５】
同請求項１１に係るものは、請求項９に記載の給紙装置において、前記制御装置が、前記エア吹き付け量調整動作のタイミングを任意に変更可能なものであることを特徴とする。
【００２６】
同請求項１２に係るものは、請求項９から１１のいずれかに記載の給紙装置において、前記制御装置でエア吹き付け量調整動作を行っても前記揺動位置検出センサが反応しなかった場合、該給紙装置を搭載した画像形成装置のユーザインターフェース部に、前記浮上用送風手段が故障した旨を通知することを特徴とする。
【００２７】
同請求項１３に係るものは、請求項１から１２のいずれかに記載の給紙装置において、前記エア吸引手段のエア吸引量を調整可能としたことを特徴とする。
【００２８】
同請求項１４に係るものは、請求項１３に記載の給紙装置において、前記エア吸引手段が備えるダクト内に揺動式のアクチュエータを設け、該アクチュエータの位置を検出できる揺動位置検出センサを設け、該アクチュエータが揺動した位置を検出可能としたことを特徴とする。
【００２９】
同請求項１５に係るものは、請求項１４に記載の給紙装置において、前記エア吸引手段のエア吸引量を、前記揺動位置検出センサが反応するまで自動的に出力を増加させる制御装置を備えたことを特徴とする。
【００３０】
同請求項１６に係るものは、請求項１５に記載の給紙装置において、前記制御装置のエア吹き付け量調整動作は、給紙中以外の決められたタイミングで行うことを特徴とする。
【００３１】
同請求項１７に係るものは、請求項１５に記載の給紙装置において、前記制御装置が、前記エア吹き付け量調整動作のタイミングを任意に変更可能なものであることを特徴とする。
【００３２】
同請求項１８に係るものは、請求項１５から１７のいずれかに記載の給紙装置において、前記制御装置でエア吹き付け量調整動作を行っても前記揺動位置検出センサが反応しなかった場合、該給紙装置を搭載した画像形成装置のユーザインターフェース部に、前記エア吸引手段が故障した旨を通知することを特徴とする。
【００３３】
請求項１９に係る画像形成装置は、請求項１から１８のいずれかに記載の給紙装置を備えたことを特徴とする。
【発明の効果】
【００３４】
本発明によれば、サバキ用送風手段のブロワのデューティーを調整して、給紙する用紙に適切な風量になるようエアの吹き付け量を調整でき、多くの種類の用紙を確実にさばき得るようになるという効果が有る。
【図面の簡単な説明】
【００３５】
【図１】従来の給紙装置の概念的断面図
【図２】図１の装置で吸引ベルトに最上紙が吸着される動作を示す概念的断面図
【図３】図１の装置で吸引ベルト、搬送ローラの駆動が開始し、用紙が搬送される動作を示す概念的断面図
【図４】図１の装置で用紙が給紙センサに到達後、吸引ベルトの駆動を停止する動作を示す概念的断面図
【図５】図１の装置で用紙が吸引領域を抜けた直後、次の用紙がエアにより浮上、吸着される動作を示す概念的断面図
【図６】本発明の給紙装置を備える画像形成装置の一例の構成を示す図
【図７】給紙装置の内部構成を示す斜視図
【図８】給紙装置から吸引ベルトユニットを取り外した図で
【図９】サバキ用送風手段の拡大図
【図１０】図９の背面図
【図１１】サバキ用送風手段が作動していない状態を示す図
【図１２】サバキ用送風手段が作動している状態を示す図
【発明を実施するための形態】
【００３６】
本発明に係る給紙装置、画像形成装置について図面に示す実施例を参照して以下に説明する。
【実施例】
【００３７】
図６は本発明の給紙装置を備える画像形成装置の一例の構成を示す図であり、図７は給紙装置の内部構成を示す斜視図である。
画像形成装置１１は、画像形成装置本体１２と、画像形成装置本体１２の一側面に接続された給紙装置１３と、から構成されている。
【００３８】
図７に示すように、給紙装置１３には、用紙束を積載する底板６を有した給紙トレイ（用紙収納部）２１と、用紙束の最上部の用紙を一枚ずつ取り出して画像形成装置本体１２側へ給紙する吸引ベルトユニット（給紙手段）２２とを備えている。給紙トレイ２１内には、底板６上に積載された用紙束の幅方向（給紙方向と直交する方向）側面をガイドするサイドフェンス２３を両側に設け、用紙束の後方には後端面を押えるエンドフェンス１０がある。
【００３９】
図８は給紙装置１３から吸引ベルトユニット２２を取り外した図である。図のように吸引ベルトユニット直下に用紙浮上を行うための浮上用送風手段１を設けてある。またサイドフェンス２３には用紙サバキを行うためのサバキ用送風手段２４が設けられている。
【００４０】
次に、各請求項に対応した本発明の実施例について説明する。
＜請求項１の給紙装置に対応する実施例＞
従来の技術として上述したとおり、エアを用いた用紙の浮上、分離、吸着を行う給紙装置においては、給紙する用紙の特性に対して適切なエアの風量を設定してやらなければ、重送、不給紙の要因となってしまう。ここで言う用紙の特性とは、用紙の重さの軽重、用紙サイズの大小、コート紙か否かといったことである。そのため、サバキ用送風手段についても、給紙する用紙に適切な風量になるようエア吹き付け量調整を可能とすることにより、あらゆる用紙を確実にさばくことができる。この吹き付け量調整は、通常サバキ用送風手段に用いるブロワのデューティー（％）調整によって行う。
【００４１】
＜請求項２の給紙装置に対応する実施例＞
図９〜１２を用いて説明を行うが、図９はサバキ用送風手段の拡大図である。サイドフェンス２３に設けられたサバキ用送風手段２４のダクト近傍には、サバキ用のエアの吹き出し量の変化に伴い可動する揺動式のアクチュエータ２５が設けられている。図９はサバキ用送風手段が作動していない状態（エアが吹いていない状態）であり、アクチュエータ２５は作動していない状態である。
【００４２】
図１０は図９の背面図であり、サバキ用送風手段の内部を示す図である。アクチュエータ２５の近傍には、そのアクチュエータ２５の位置を検出できる揺動位置検出センサ２６を設け、アクチュエータが揺動した位置を検出可能となっている。
【００４３】
また図１１はサバキ用送風手段２４が作動していない状態を示す図であり、図１２はサバキ用送風手段２４が作動している状態を示す図である。図１２に示すように、サバキ用送風手段２４が作動すると、吹き出し口から出たエアに押されてアクチュエータ２５が回動する。吹き出し口から出る風量が大きくなるほどアクチュエータ２５の回動量は大きくなり、ある風量のところで揺動位置検出センサ２６が反応することになる。
【００４４】
そしてアクチュエータ２５と揺動位置検出センサ２６の配置であるが、あらかじめサバキ用送風手段から吹き付けるエアの量の標準値を決めておき、その風量の時に揺動位置検出センサ２６がアクチュエータ２５を検出する配置にしておくこととする。つまり、サバキ用送風手段２４の設定Ｄｕｔｙがある値の時に、必ず揺動位置検出センサ２６がアクチュエータ２５を検出する状態としておく。
【００４５】
しかし、ブロワはバラツキや経時劣化によってある設定デューティーにしておいても狙いの風量に達さない場合がある。だが前記構成をとることにより、ブロワがバラツキにより風量が低くても、また経時劣化によって低い風量しか出ない状況であっても、設定デューティーにした状態で揺動位置検出センサ２６がアクチュエータ２５を検出しなければ、ユーザは事前にそのブロワの状態を認識することができる。そして請求項１の給紙装置のように、ブロワのデューティーは調整可能となっているので、もしブロワの出力が低下していた場合、ユーザはその風量を揺動位置検出センサ２６がアクチュエータ２５を検出する規定値までアップさせることができる。結果的に、重送や不給紙を未然に防ぐことができる。
【００４６】
＜請求項３の給紙装置に対応する実施例＞
請求項２の給紙装置において、ブロワの標準デューティーにした状態での揺動位置検出センサ２６の検出確認、およびブロワの標準値デューティーにした状態での揺動位置検出センサ２６の検出しなかった場合のブロワのデューティアップを、自動的に行う制御装置を備えることとする。これにより、ユーザがブロワの状態をいちいち確認しなくとも、前記制御装置が自動的に風量の自動調整をしてくれるので、ユーザの労力は大きく低減することとなる。
【００４７】
ここで、揺動位置検出センサ２６がアクチュエータ２５を検出した瞬間のデューティーを「標準デューティー」とする。請求項３を適用した給紙装置においては、各用紙に対するブロワデューティの調整は、標準デューティーに対して「＋Ｘ［％］」「−Ｙ［％］」といった調整方法となる。つまり、例えば標準デューティーが５０［％］であった場合は、
用紙
浮上用送風手段
サバキ用送風手段
エア吸引手段
Ａ
＋３０［％］
＋２０［％］
＋４０［％］
Ｂ
＋１０［％］
−１０［％］
＋３０［％］
Ｃ
−２０［％］
−４０［％］
＋２０［％］
といったテーブルとなる。よって、標準デューティーが仮に５５［％］のブロワが存在しても、各用紙設定とした場合に吹き付けられるエアの風量は常に一定となるため、ブロワのバラツキや経時劣化の影響を受けなくすることができる。
【００４８】
＜請求項４の給紙装置に対応する実施例＞
請求項３の給紙装置でのエア吹き付け量調整動作については、給紙中ではなく、それ以外のタイミング、たとえば機器の電源投入時や、給紙ジョブスタート前などに決まって行うようにする。このように給紙中以外に行うことにより、給紙中は常にブロワの標準デューティーが定められた状態となるため、安定して給紙を行うことができる。
【００４９】
＜請求項５の給紙装置に対応する実施例＞
請求項３の給紙装置での制御装置のエア吹き付け量調整動作のタイミングを、ユーザが任意に変更できるようにすることにより、給紙ジョブ数回ごとに１回エア吹き付け量調整動作を行うことにするなどして、調整動作の作動回数を低減させることにより、消費電力の減少が可能となる。またユーザが機器に異変を感じた時、例えば急に重送や不給紙が発生しだした時など、任意のタイミングでエア吹き付け量調整動作を行えるようにすることにより、ブロワの急な変調にも対応することができる。
【００５０】
＜請求項６の給紙装置に対応する実施例＞
請求項３の給紙装置での制御装置のエア吹き付け量調整動作を行っても、請求項２の給紙装置での揺動位置検出センサが反応しなかった場合、画像形成装置のユーザインターフェース部に、サバキ用送風手段が故障した旨を通知することとする。これによりユーザはサバキ用送風手段が故障したことを認識することができ、修理等の対応を取ることができる。よって実際にジャムなどが発生する前に機器の故障を知ることができるため、ユーザからジャム処理等の煩雑さを排除することができる。
＜請求項７の給紙装置に対応する実施例＞
請求項７の給紙装置に関しては、従来技術について説明したとおり、エアを用いた用紙の浮上、分離、吸着を行う給紙装置においては、給紙する用紙の特性に対して適切なエアの風量を設定してやらなければ、重送、不給紙の要因となってしまう（ここで言う用紙の特性とは、用紙の重さの軽重、用紙サイズの大小、コート紙か否かといったことである）ため、浮上用送風手段についても、給紙する用紙に適切な風量になるようエア吹き付け量調整を可能とすることにより、あらゆる用紙を確実に浮上させることができる。この吹き付け量調整は、通常浮上用送風手段に用いるブロワのデューティー（％）調整によって行う。
【００５１】
＜請求項８の給紙装置に対応する実施例＞
請求項８の給紙装置に関しては、上述した請求項７の給紙装置の浮上用送風手段のダクト内に揺動式のアクチュエータを設け、そのアクチュエータの位置を検出できる揺動位置検出センサを設け、アクチュエータが揺動した位置を検出可能な構成とする。これは請求項２の給紙装置のサバキ用送風手段のアクチュエータおよび揺動位置検出センサと近似の構成となる。これにより浮上用送風手段が作動すると、吹き出し口から出たエアに押されてアクチュエータが回動する。吹き出し口から出る風量が大きくなるほどアクチュエータの回動量は大きくなり、ある風量のところで揺動位置検出センサが反応することになる。
【００５２】
そしてアクチュエータと揺動位置検出センサの配置であるが、あらかじめ浮上用送風手段から吹き付けるエアの量の標準値を決めておき、その風量の時に揺動位置検出センサがアクチュエータを検出する配置にしておくこととする。つまり、浮上用送風手段の設定デューティーがある値の時に、必ず揺動位置検出センサがアクチュエータを検出する状態としておく。しかし、ブロワはバラツキや経時劣化によってある設定デューティーにしておいても狙いの風量に達さない場合がある。だが前記構成をとることにより、ブロワがバラツキにより風量が低くても、また経時劣化によって低い風量しか出ない状況であっても、設定デューティーにした状態で揺動位置検出センサがアクチュエータを検出しなければ、ユーザは事前にそのブロワの状態を認識することができる。そして請求項７の給紙装置と同様に、ブロワのデューティーは調整可能となっているので、もしブロワの出力が低下していた場合、ユーザはその風量を揺動位置検出センサがアクチュエータを検出する規定値までアップさせることができる。結果的に、重送や不給紙を未然に防ぐことができる。
【００５３】
＜請求項９の給紙装置に対応する実施例＞
請求項９の給紙装置に関しては、請求項８の給紙装置における、ブロワの標準デューティーにした状態での揺動位置検出センサの検出確認、およびブロワの標準値デューティーにした状態での揺動位置検出センサの検出しなかった場合のブロワのデューティアップを、自動的に行う制御装置を備えることとする。これにより、ユーザがブロワの状態をいちいち確認しなくとも、制御装置が自動的に風量の自動調整をしてくれるので、ユーザの労力は大きく低減することとなる。
【００５４】
ここで、揺動位置検出センサがアクチュエータを検出した瞬間のデューティーを「標準デューティー」とする。請求項３の給紙装置の構成を適用した給紙装置においては、各用紙に対するブロワデューティの調整は、標準デューティーに対して「＋Ｘ［％］」「−Ｙ［％］」といった調整方法となる。つまり、例えば標準デューティーが５０［％］であった場合は、
用紙
浮上用送風手段
サバキ用送風手段
エア吸引手段
Ａ
＋３０［％］
＋２０［％］
＋４０［％］
Ｂ
＋１０［％］
−１０［％］
＋３０［％］
Ｃ
−２０［％］
−４０［％］
＋２０［％］
といったテーブルとなる。
【００５５】
よって、標準デューティーが仮に５５［％］のブロワが存在しても、各用紙設定とした場合に吹き付けられるエアの風量は常に一定となるため、ブロワのバラツキや経時劣化の影響を受けなくすることができる。
【００５６】
＜請求項１０の給紙装置に対応する実施例＞
請求項１０の給紙装置に関しては、請求項８の給紙装置について記載したエア吹き付け量調整動作については、給紙中ではなく、それ以外のタイミング、たとえば機器の電源投入時や、給紙ジョブスタート前などに決まって行うようにする。このように給紙中以外に行うことにより、給紙中は常にブロワの標準デューティーが定められた状態となるため、安定して給紙を行うことができる。
【００５７】
＜請求項１１の給紙装置に対応する実施例＞
次に請求項１１の給紙装置に関しては、請求項８の給紙装置で記載した制御装置のエア吹き付け量調整動作のタイミングを、ユーザが任意に変更できるようにする。それにより、給紙ジョブ数回ごとに１回エア吹き付け量調整動作を行うことにするなどして、調整動作の作動回数を低減させることにより、消費電力の減少が可能となる。またユーザが機器に異変を感じた時、例えば急に重送や不給紙が発生しだした時など、任意のタイミングでエア吹き付け量調整動作を行えるようにすることにより、ブロワの急な変調にも対応することができる。
【００５８】
＜請求項１２の給紙装置に対応する実施例＞
請求項１２の給紙装置に関しては、請求項９に記載の給紙装置の制御装置のエア吹き付け量調整動作を行っても、請求項８に記載の給紙装置の揺動位置検出センサが反応しなかった場合、画像形成装置のユーザインターフェース部に、サバキ用送風手段が故障した旨を通知することとする。これによりユーザは浮上用送風手段が故障したことを認識することができ、修理等の対応を取ることができる。よって実際にジャムなどが発生する前に機器の故障を知ることができるため、ユーザからジャム処理等の煩雑さを排除することができる。
【００５９】
＜請求項１３の給紙装置に対応する実施例＞
次に請求項１３の給紙装置に関しては、従来の技術で説明したとおり、エアを用いた用紙の浮上、分離、吸着を行う給紙装置においては、給紙する用紙の特性に対して適切なエアの風量を設定してやらなければ、重送や不給紙の要因となってしまう（ここで言う用紙の特性とは、既述の通り、用紙の重さの軽重、用紙サイズの大小、コート紙か否かといったことである）。そのため、エア吸引手段についても、給紙する用紙に適切な風量になるようエア吸引量調整を可能とすることにより、あらゆる用紙を確実に吸着させることができる。この吸引量調整は、通常エア吸引手段に用いるブロワのデューティー（％）調整によって行う。
【００６０】
＜請求項１４の給紙装置に対応する実施例＞
請求項１４の給紙装置に関しては、請求項１３に記載の給紙装置のエア吸引手段のダクト内に揺動式のアクチュエータを設け、そのアクチュエータの位置を検出できる揺動位置検出センサを設け、アクチュエータが揺動した位置を検出可能な構成とする。これは請求項２のサバキ用送風手段のアクチュエータおよび揺動位置検出センサと近似の構成とする。これによりエア吸引手段が作動すると、吹き出し口から出たエアに押されてアクチュエータが回動する。吹き出し口から出る風量が大きくなるほどアクチュエータの回動量は大きくなり、ある風量のところで揺動位置検出センサが反応することになる。
【００６１】
そしてアクチュエータと揺動位置検出センサの配置であるが、あらかじめエア吸引手段から吹き付けるエアの量の標準値を決めておき、その風量の時に揺動位置検出センサがアクチュエータを検出する配置にしておくこととする。つまり、エア吸引手段の設定デューティーがある値の時に、必ず揺動位置検出センサがアクチュエータを検出する状態としておく。
【００６２】
しかし、ブロワはバラツキや経時劣化によってある設定デューティーにしておいても狙いの吸引量に達さない場合がある。だが前記構成をとることにより、ブロワがバラツキにより風量が低くても、また経時劣化によって低い風量しか出ない状況であっても、設定デューティーにした状態で揺動位置検出センサがアクチュエータを検出しなければ、ユーザは事前にそのブロワの状態を認識することができる。そして請求項１３の給紙装置ように、ブロワのデューティーは調整可能となっているので、もしブロワの出力が低下していた場合、ユーザはその風量を揺動位置検出センサがアクチュエータを検出する規定値までアップさせることができる。結果的に、不給紙を未然に防ぐことができる。  
【００６３】
＜請求項１４の給紙装置に対応する実施例＞
次に請求項１５の給紙装置に関しては、請求項１４に記載した給紙装置のブロワの標準デューティーにした状態での揺動位置検出センサの検出確認、およびブロワの標準値デューティーにした状態での揺動位置検出センサの検出しなかった場合のブロワのデューティアップを、自動的に行う制御装置を備えることとする。これにより、ユーザがブロワの状態をいちいち確認しなくとも、前記制御装置が自動的に風量の自動調整をしてくれるので、ユーザの労力は大きく低減することとなる。ここで、揺動位置検出センサがアクチュエータを検出した瞬間のデューティーを「標準デューティー」とする。請求項３を適用した給紙装置においては、各用紙に対するブロワデューティの調整は、標準デューティーに対して「＋Ｘ［％］」「−Ｙ［％］」といった調整方法となる。つまり、例えば標準デューティーが５０［％］であった場合は、
用紙
浮上用送風手段
サバキ用送風手段
エア吸引手段
Ａ
＋３０［％］
＋２０［％］
＋４０［％］
Ｂ
＋１０［％］
−１０［％］
＋３０［％］
Ｃ
−２０［％］
−４０［％］
＋２０［％］
といったテーブルとなる。よって、標準デューティーが仮に５５［％］のブロワが存在しても、各用紙設定とした場合に吹き付けられるエアの風量は常に一定となるため、ブロワのバラツキや経時劣化の影響を受けなくすることができる。
【００６４】
＜請求項１６の給紙装置に対応する実施例＞
次に請求項１６の給紙装置に関しては、請求項１５の給紙装置について記載したエア吸引量調整動作について、給紙中ではなく、それ以外のタイミング、たとえば機器の電源投入時や、給紙ジョブスタート前などに決まって行うようにする。このように給紙中以外に行うことにより、給紙中は常にブロワの標準デューティーが定められた状態となるため、安定して給紙を行うことができる。
【００６５】
＜請求項１７の給紙装置に対応する実施例＞
次に請求項１７の給紙装置に関しては、請求項８で記載した給紙装置の制御装置のエア吸引量調整動作のタイミングを、ユーザが任意に変更できるようにする。それにより、給紙ジョブ数回ごとに１回エア吸引量調整動作を行うことにするなどして、調整動作の作動回数を低減させることにより、消費電力の減少が可能となる。またユーザが機器に異変を感じた時、例えば急に不給紙が発生しだした時など、任意のタイミングでエア吸引量調整動作を行えるようにすることにより、ブロワの急な変調にも対応することができる。
【００６６】
＜請求項１８の給紙装置に対応する実施例＞
ついで請求項１８の給紙装置に関しては、請求項１５に記載の給紙装置の制御装置のエア吸引量調整動作を行っても、請求項１４に記載の給紙装置の揺動位置検出センサが反応しなかった場合、画像形成装置のユーザインターフェース部に、サバキ用送風手段が故障した旨を通知することとする。これによりユーザはエア吸引手段が故障したことを認識することができ、修理等の対応を取ることができる。よって実際にジャムなどが発生する前に機器の故障を知ることができるため、ユーザからジャム処理等の煩雑さを排除することができる。
【００６７】
＜請求項１９の画像形成装置に対応する実施例＞
上述してきた請求項１〜１８に係る給紙装置のいずれかを備えた画像形成装置では、各ブロワ自体のバラツキや特性の経時変化などにかかわらず、エアの吹き付けや吸引の力を適切な状態に保ち、安定した給紙を行うことができる給紙装置を提供することができ、機器としての搬送品質が高まる。
【符号の説明】
【００６８】
１：浮上用送風手段
２：吸引ベルト（用紙吸着部）
３：検知手段
４：アクチュエータ
５：センサ
６：底板
７：用紙せき止め部材
８：搬送ローラ
９：給紙センサ
１０：エンドフェンス
１１：画像形成装置
１２：画像形成装置本体
１３：給紙装置
２１：給紙トレイ（用紙収納部）
２２：吸引ベルトユニット（給紙手段）
２３：サイドフェンス（用紙側端規制部材）
２４：サバキ用送風手段
３０：エア吸引手段
Ｐ１：最上紙
【先行技術文献】
【特許文献】
【００６９】
【特許文献１】特開２００５−２６１９１３号公報
【図１】
2011184179.tif 000003
【図２】
2011184179.tif 000004
【図３】
2011184179.tif 000005
【図４】
2011184179.tif 000006
【図５】
2011184179.tif 000007
【図６】
2011184179.tif 000008
【図７】
2011184179.tif 000009
【図８】
2011184179.tif 000010
【図９】
2011184179.tif 000011
【図１０】
2011184179.tif 000012
【図１１】
2011184179.tif 000013
【図１２】
2011184179.tif 000014